【手続補正書】
【提出日】平成25年8月13日(2013.8.13)
【手続補正１】
【補正対象書類名】特許請求の範囲
【補正対象項目名】全文
【補正方法】変更
【補正の内容】
【特許請求の範囲】
【請求項１】
少なくとも一つのマーキングステーションであって、画像担持面を帯電させるための帯電装置と、前記画像担持面を照射して放電させ潜像を形成するための露光装置と、前記画像担持面にトナーを現像するための現像ユニットと、前記画像担持面から画像蓄積面へトナーを転写するための転写ユニットとを包含する少なくとも一つのマーキングステーションを包含する、画像印刷システムの画像品質欠陥を補正するための方法であって、
前記画像印刷システムにおいて静電電圧計（ＥＳＶ）を用いて前記画像担持面の前記画像品質欠陥を検知することと、
少なくとも前記画像品質欠陥の幅をプロセッサにより判断することと、
前記画像品質欠陥の幅を所定の閾値と比較することと、
前記画像品質欠陥の幅が前記所定の閾値より大きい場合に、露光プロセス中に前記露光装置のパワーを調節することにより前記画像品質欠陥を補正することと、
を包含する方法。
【請求項２】
少なくとも一つのマーキングステーションであって、前記画像担持面を帯電させるための帯電装置と、前記画像担持面に照射して放電させ潜像を形成するための露光装置と、前記画像担持面にトナーを現像するための現像ユニットと、前記画像担持面から画像蓄積面にトナーを転写するための転写ユニットとを包含する少なくとも一つのマーキングステーションを包含する、画像印刷システムの画像品質欠陥を補正するための方法であって、
前記画像印刷システムにおいて静電電圧計（ＥＳＶ）を用いて前記画像担持面の前記画像品質欠陥を検知することと、
前記画像品質欠陥の出現率、幅、および位相のうち少なくとも一つをプロセッサにより判断することと、
露光プロセス中に前記露光装置のパワーを調節することにより前記画像品質欠陥を補正することと、
を包含し、
前記画像品質欠陥についての前記検知の際に、各分解色に関してテストパッチを印刷することを含み、複数の分解色のそれぞれに関する前記テストパッチが互いに重なり合っていることを特徴とする、
方法。
【請求項３】
少なくとも一つのマーキングステーションであって、前記画像担持面を帯電させるための帯電装置と、前記画像担持面に照射して放電させ潜像を形成するための露光装置と、前記画像担持面にトナーを現像するための現像ユニットと、前記画像担持面から画像蓄積面にトナーを転写するための転写ユニットとを包含する少なくとも一つのマーキングステーションを包含する、画像印刷システムの画像品質欠陥を補正するための方法であって、
前記画像印刷システムにおいて静電電圧計（ＥＳＶ）を用いて前記画像担持面の前記画像品質欠陥を検知することと、
前記画像品質欠陥の出現率、幅、および位相のうち少なくとも一つをプロセッサにより判断することと、
露光プロセス中に前記露光装置のパワーを調節することにより前記画像品質欠陥を補正することと、
を包含し、
前記画像品質欠陥の出現率、幅、および位相のうち少なくとも一つについてのプロセッサによる前記判断の際に、少なくとも一つの光受容体１回転信号を受信することを含む、
方法。
【請求項４】
少なくとも一つのマーキングステーションであって、前記画像担持面を帯電させるための帯電装置と、前記画像担持面に照射して放電させ潜像を形成するための露光装置と、前記画像担持面にトナーを現像するための現像ユニットと、前記画像担持面から画像蓄積面にトナーを転写するための転写ユニットとを包含する少なくとも一つのマーキングステーションを包含する、画像印刷システムの画像品質欠陥を補正するための方法であって、
前記画像印刷システムにおいて静電電圧計（ＥＳＶ）を用いて前記画像担持面の前記画像品質欠陥を検知することと、
少なくとも前記画像品質欠陥の幅をプロセッサにより判断することと、
前記画像品質欠陥の幅を所定の閾値と比較することと、
前記画像品質欠陥の幅が前記所定の閾値より大きい場合に、画像コンテンツを修正することにより前記画像品質欠陥を補正することと、
を包含する方法。
【請求項５】
マーキングステーションであって、露光装置を含むマーキングステーションと、
画像担持面の前記画像品質欠陥を検知するように構成された静電電圧計（ＥＳＶ）と、
プロセッサであって、前記ＥＳＶの読取値に基づいて少なくとも前記画像品質欠陥の幅を判断し、前記画像品質欠陥の幅を所定の閾値と比較するように構成されたプロセッサと、
コントローラであって、前記画像品質欠陥の幅が前記所定の閾値より大きい場合に、露光プロセス中に前記露光装置の出力を調節することにより、前記画像品質欠陥を補正するように構成されたコントローラと、
を包含する、画像印刷システムの画像品質欠陥を補正するためのシステム。
【請求項６】
マーキングステーションであって、露光装置を含むマーキングステーションと、
画像担持面の前記画像品質欠陥を検知するように構成された静電電圧計（ＥＳＶ）と、
プロセッサであって、前記ＥＳＶの読取値に基づいて前記画像品質欠陥の出現率、幅、および位相のうち少なくとも一つを判断するように構成されたプロセッサと、
コントローラであって、露光プロセス中に前記露光装置の出力を調節することにより、前記画像品質欠陥を補正するように構成されたコントローラと、
を包含し、
前記マーキングステーションが、複数の分解色のそれぞれに関してテストパッチを印刷するように構成され、各分解色に関する前記テストパッチが互いに重なり合っていることを特徴とする、
画像印刷システムの画像品質欠陥を補正するためのシステム。
【請求項７】
マーキングステーションであって、露光装置を含むマーキングステーションと、
画像担持面の前記画像品質欠陥を検知するように構成された静電電圧計（ＥＳＶ）と、
プロセッサであって、前記ＥＳＶの読取値に基づいて前記画像品質欠陥の出現率、幅、および位相のうち少なくとも一つを判断するように構成されたプロセッサと、
コントローラであって、露光プロセス中に前記露光装置の出力を調節することにより、前記画像品質欠陥を補正するように構成されたコントローラと、
を包含し、
前記コントローラがさらに、少なくとも一つの光受容体１回転信号を受信するように構成されていることを特徴とする、
画像印刷システムの画像品質欠陥を補正するためのシステム。
【請求項８】
マーキングステーションと、
画像担持面の前記画像品質欠陥を検知するように構成された静電電圧計（ＥＳＶ）と、
プロセッサであって、前記ＥＳＶの読取値に基づいて少なくとも前記画像品質欠陥の幅を判断し、前記画像品質欠陥の幅を所定の閾値と比較するように構成されたプロセッサと、
前記画像品質欠陥の幅が前記所定の閾値より大きい場合に、画像コンテンツを修正することにより前記画像品質欠陥を補正するように構成されたコントローラと、
を包含する、画像印刷システムの画像品質欠陥を補正するためのシステム。
【請求項９】
マーキングステーションと、
画像担持面の前記画像品質欠陥を検知するように構成された静電電圧計（ＥＳＶ）と、
プロセッサであって、前記ＥＳＶの読取値に基づいて前記画像品質欠陥の出現率、幅、および位相のうち少なくとも一つを判断するように構成されたプロセッサと、
画像コンテンツを修正することにより前記画像品質欠陥を補正するように構成されたコントローラと、
を包含し、
前記マーキングステーションが、複数の分解色のそれぞれに関してテストパッチを印刷するように構成され、各分解色に関する前記テストパッチが互いに重なり合っていることを特徴とする、
画像印刷システムの画像品質欠陥を補正するためのシステム。
【請求項１０】
マーキングステーションと、
画像担持面の前記画像品質欠陥を検知するように構成された静電電圧計（ＥＳＶ）と、
プロセッサであって、前記ＥＳＶの読取値に基づいて前記画像品質欠陥の出現率、幅、および位相のうち少なくとも一つを判断するように構成されたプロセッサと、
画像コンテンツを修正することにより前記画像品質欠陥を補正するように構成されたコントローラと、
を包含し、
前記プロセッサがさらに、少なくとも一つの光受容体１回転信号を受信するように構成されていることを特徴とする、
画像印刷システムの画像品質欠陥を補正するためのシステム。